(57)【要約】【課題】本発明は、常時電源を必要とする電子機器への電源供給を行う２次電路に接続されたブレーカを交換するに当たり、当該電子機器への電源供給を停止することのない配電装置を提案することを目的とする。【解決手段】配電装置１は、１次電路１２と２次電路１４との間の電気的な接離を成すブレーカ１５を交換する際に２次電路１４への電源供給を遮断しないように、１次電路１２及び２次電路１４との間でブレーカ１５と並列に接続されるバイパスユニット１６を備える。ブレーカ１５を交換する際、バイパスユニット１６をＯＮとした後に、既設のブレーカ１５をＯＦＦとして取り外す。そして、新設のブレーカ１５を取り付けてＯＮとした後に、バイパスユニット１６をＯＦＦとする。【選択図】図１
2010011548.tif 000002
【特許請求の範囲】
【請求項１】
電源供給側の１次側電線に接続された１次電路と、負荷側の２次側電線に接続された２次電路と、該１次電路及び該２次電路との間の電気的な接離を成すブレーカと、を備え、前記２次側電線より常時電源を供給する配電装置において、
前記１次電路と前記２次電路との間で前記ブレーカと並列に接続され、前記ブレーカによる前記１次電路と前記２次電路との間の通電が遮断されたときに、前記１次電路と前記２次電路との間を通電させるバイパスユニットを備えることを特徴とする配電装置。
【請求項２】
請求項１において、
前記バイパスユニットが、前記１次電路と前記２次電路との間に接続された開閉器で構成されることを特徴とする配電装置。
【請求項３】
請求項１又は請求項２において、
前記１次電路及び前記２次電路それぞれが、板状の導電バーで構成され、
前記ブレーカが、前記１次電路及び前記２次電路のそれぞれを構成する導電バーに係合するプラグイン構造の１次側端子及び２次側端子を有することを特徴とする配電装置。
【請求項４】
請求項３において、
前記１次電路及び前記２次電路のそれぞれを構成する導電バーが平行に設置され、
前記ブレーカが、前記導電バーの設置方向に対して交差する方向で、前記前記１次電路及び前記２次電路の間に跨設されることを特徴とする配電装置。
【請求項５】
請求項１乃至請求項４のいずれか一項において、
前記ブレーカが、自機器の交換時期を検知する検知部と、該検知部が前記交換時期を検知したときに報知する報知部と、を有することを特徴とする配電装置。
【請求項６】
請求項５において、
前記ブレーカが、前記検知部が前記交換時期を検知したときに自機器を遮断するとともに前記バイパス回路を通電させる制御部を、更に有することを特徴とする配電装置。
【発明の詳細な説明】
【技術分野】
【０００１】
本発明は、１次電路と２次電路との間をブレーカで接続した配電装置に関するもので、特に、２次電路側に常時電源を必要とする電子機器が接続される配電装置に関するものである。
【背景技術】
【０００２】
屋外から引き込んだ電力線を屋内で分岐配線するための配電装置は、電源が供給される１次電路と電源を供給する２次電路との間にブレーカが接続されて構成される。このような配電装置を構成するためのブレーカとして、外部から住戸に供給される電源を１次側で受ける主幹ブレーカと、主幹ブレーカの２次側より供給される電源を１次側で受けて２次側に出力する分岐ブレーカとがある。そして、複数に分岐して配線が行える配電装置として、１つの主幹ブレーカと複数の分岐ブレーカが設けられた分電盤が、従来より一般に用いられている。
【０００３】
このような配電装置において、ブレーカは、１次電路や２次電路と接続する電極の経年劣化或いは突入電流による溶着などにより、時間と共にその機能が低下する。このブレーカの機能低下に対して、新しいブレーカに交換することで、配電装置自体の機能が保持される。又、配電装置の１つとして、照明機器への配電を行う電灯分電盤が使用されるが、照明機器の遠隔開閉制御を可能とするために、この電灯分電盤内にリモコンブレーカが設置される場合がある。
【０００４】
リモコンブレーカは、その開閉による突入電流などが原因となり、接点の溶着などが発生するため、機能劣化となる寿命がある。このように寿命を備えたリモコンブレーカは、適正な交換時期を確認する必要がある。そして、適正な交換時期を表示できるリモコンブレーカとして、寿命値として所定の開閉回数を記憶して現在の開閉回数との比較を行うものが提案されている（特許文献１参照）。
【特許文献１】特開平０４−０８４４００号公報
【発明の開示】
【発明が解決しようとする課題】
【０００５】
上述したように、配電装置に設けられたブレーカは、配電装置の機能保持や機種変更などのために交換される。そして、このブレーカの交換時においては、交換作業を行う作業者に対する感電などの事故を防ぐため、配電装置の１次側に対する電源供給を停止した後に、ブレーカの交換が行われる。即ち、対象となるブレーカの１次側よりも上位において電源供給を停止して、対象となるブレーカへの電源供給がない状態で交換される。
【０００６】
しかしながら、常時電源を必要とするサーバなどの電子機器に対して電源供給を行う配電装置については、常時電源が必要となる電子機器への電源供給を停止することなく、ブレーカの交換を行う必要がある。即ち、常時電源を必要とする電子機器に対して２次側より電源供給を行っているブレーカを交換する際、交換対象となるブレーカの１次側と２次側とを電気的に接続したままの状態で、対象のブレーカを交換することが要求される。
【０００７】
このような問題を鑑みて、本発明は、常時電源を必要とする電子機器への電源供給を行う２次電路に接続されたブレーカを交換するに当たり、当該電子機器への電源供給を停止することのない配電装置を提案することを目的とする。
【課題を解決するための手段】
【０００８】
上記目的を達成するために、本発明の配電装置は、電源供給側の１次側電線に接続された１次電路と、負荷側の２次側電線に接続された２次電路と、該１次電路及び該２次電路との間の電気的な接離を成すブレーカと、を備え、前記２次側電線より常時電源を供給する配電装置において、前記１次電路と前記２次電路との間で前記ブレーカと並列に接続され、前記ブレーカによる前記１次電路と前記２次電路との間の通電が遮断されたときに、前記１次電路と前記２次電路との間を通電させるバイパスユニットを備えることを特徴とする。
【０００９】
このとき、前記バイパスユニットが、前記１次電路と前記２次電路との間に接続された開閉器で構成されるものとしてもよい。
【００１０】
又、前記１次電路及び前記２次電路それぞれが、板状の導電バーで構成され、前記ブレーカが、前記１次電路及び前記２次電路のそれぞれを構成する導電バーに係合するプラグイン構造の１次側端子及び２次側端子を有するものとしてもよい。これにより、プラグイン構造の端子を備えたブレーカとすることで、前記導電バーからの脱着時に、端子に触れずにブレーカの交換作業が行える。このとき、前記バイパスユニットが前記開閉器で構成されるとき、当該開閉器も、前記１次電路及び前記２次電路のそれぞれを構成する導電バーに係合するプラグイン構造の１次側端子及び２次側端子を有するものとしてもよい。
【００１１】
更に、前記１次電路及び前記２次電路のそれぞれを構成する導電バーが平行に設置され、前記ブレーカが、前記導電バーの設置方向に対して交差する方向で、前記前記１次電路及び前記２次電路の間に跨設されるものとしてもよい。これにより、前記バイパスユニットと前記１次電路及び前記２次電路とを接続するための電路構成を、前記第１電路及び前記第２電路から分岐させる必要がない。このとき、前記バイパスユニットが前記開閉器で構成されるとき、当該開閉器も、前記導電バーの設置方向に対して交差する方向で、前記１次電路及び前記２次電路の間に跨設されるものとしてもよい。
【００１２】
又、前記ブレーカが、自機器の交換時期を検知する検知部と、該検知部が前記交換時期を検知したときに報知する報知部と、を有するものとしてもよい。そして、前記ブレーカが、前記検知部が前記交換時期を検知したときに自機器を遮断するとともに前記バイパス回路を通電させる制御部を、更に有するものとしてもよい。
【発明の効果】
【００１３】
本発明によると、バイパスユニットを設けているため、バイパスユニットによって２次側電線への電源供給を停止することなく、ブレーカを交換することができる。又、ブレーカを遮断したときには、バイパスユニットによる通電がなされるため、ブレーカを遮断させて交換することができ、交換作業を安全に行える。
【発明を実施するための最良の形態】
【００１４】
＜基本構成＞
本発明の配電装置の基本構成について、図面を参照して説明する。図１は、本発明の配電装置の基本構成を示す概略図である。
【００１５】
図１に示すように、本発明の配電装置１は、外部電源２からの電源供給を受ける１次側電線２１に接続された１次側端子台１１と、１次側端子台１１と接続された１次電路１２と、負荷３へ電源を供給する２次側電線３１に接続された２次側端子台１３と、２次側端子台１３と接続された２次電路１４と、１次電路１２と２次電路１４との間の電気的な接離を成すブレーカ１５と、１次電路１２及び２次電路１４との間でブレーカ１５と並列に接続されるバイパスユニット１６と、を備える。
【００１６】
配電装置１は、１次側電線２１を介して外部電源２から供給される電源を、１次側端子台１１で受けるため、この外部電源２からの電源は１次電路１２を介してブレーカ１５の１次側に供給される。そして、ブレーカ１５がＯＮ（閉）とされて、１次電路１２と２次電路１４との間がブレーカ１３を介して電気的に接続されると、外部電源２からの電源が、このブレーカ１５を介して２次電路１４に供給される。これにより、２次側端子１３を介して２次電路１４に接続された２次側電線３１を通じて、外部電源２からの電源が負荷３に供給される。
【００１７】
このようにブレーカ１５をＯＮとする通常時では、ブレーカ１５によって１次電路１２と２次電路１４との間が通電しているため、バイパスユニット１６をＯＦＦ（開）とし、バイパスユニット１６による通電は遮断された状態とする。又、ブレーカ１５は、１次電路１２と２次電路１４とが通電しているときの電流量が所定値より超えたとき、ＯＦＦとなり、１次電路１２と２次電路１４との間を遮断する。このブレーカ１５の動作により、２次側電線３１に所定値以上の電流が流れることを防ぐ。
【００１８】
この配電装置１において、ブレーカ１５の交換を行うとき、まず、バイパスユニット１６をＯＮとして、バイパスユニット１６によっても、１次電路１２と２次電路１４との間を通電させる。その後、ブレーカ１５をＯＦＦとし、ブレーカ１５による通電を遮断し、配電装置１に設置されたブレーカ１５を取り外した後、ＯＦＦの状態とした新しいブレーカ１５に交換する。そして、交換後のブレーカ１５をＯＮとして、新しいブレーカ１５による１次電路１２と２次電路１４との間の通電を開始すると、バイパスユニット１６をＯＦＦとして、バイパスユニット１６による通電を遮断する。
【００１９】
このように、ブレーカ１５の交換時にブレーカ１５による通電を遮断する際に、バイパスユニット１６を機能させることで、１次電路１２と２次電路１４との間の通電を維持できる。これにより、ブレーカ１５の通電を遮断して交換できるため、ブレーカ１５の交換作業における安全性を確保できると同時に、電源を常時供給する必要がある負荷３が接続されていたとしても、その電源の供給を停止することがなくなる。このバイパスユニット１６は、交換時に１次電路１２と２次電路１４との間に取り付けられることで、１次電路１２と２次電路１４とを通電させるものであってもよいし、ブレーカなどを初めとする開閉器によって構成されるものとしてもよい。
【００２０】
以下の各実施形態においては、図１の基本構成を共通の構成として備えるものであり、又、バイパスユニットとして開閉器が用いた構成を例に挙げて説明する。更に、以下の各実施形態の配電装置におけるブレーカの交換は、上述の手順に従って行われる。よって、以下の各実施形態では、特徴となる各配電装置の構成部分を中心に説明する。
【００２１】
＜第１の実施形態＞
本発明の第１の実施形態について、図面を参照して以下に説明する。図２は、本実施形態の配電装置の構成を示す概略図である。図３は、図２の構成における配電装置に用いるブレーカの構成を示す外観斜視図である。図４は、図３のブレーカにおける端子と電路との関係を示す図である。尚、図４は、図３のブレーカを設置面側（裏面側）から見た図であり、本体内部に構成される導体部については破線で図示する。
【００２２】
図２に示す本実施形態の配電装置１００は、単相三線式の外部電源２からの電源供給がなされる３本の１次側電線２１と接続された３つの端子より成る１次側端子台１１と、１次側端子台１１において３本の１次側電線２１と接続される３枚の１次側導電バー１２１〜１２３と、負荷３側への電源供給を行う３本の２次側電線３１と接続された３つの端子より成る２次側端子台１３と、２次側端子台１３において３本の２次側電線３１と接続される３枚の２次側導電バー１４１〜１４３と、１次側導電バー１２１〜１２３及び２次側導電バー１４１〜１４３のそれぞれと接続するブレーカ１５１と、３枚の１次側導電バー１２１〜１２３それぞれと接続される３本のバイパス用１次電路１６１〜１６３と、３枚の２次側導電バー１４１〜１４３それぞれと接続される３本のバイパス用２次電路１６４〜１６６と、バイパス用１次電路１６１〜１６３及びバイパス用２次電路１６４〜１６６のそれぞれと接続する開閉器１６７と、を備える。
【００２３】
このように構成されるとき、図２に示すように、３枚の１次側導電バー１２１〜１２３及び３枚の２次側導電バー１４１〜１４３がそれぞれ平面上で平行であり、且つ、１次側導電バー１２１〜１２３のそれぞれの設置方向を延長させた位置に、２次側導電バー１４１〜１４３が設置される。この１次側通電バー１２１〜１２３と２次側通電バー１４１〜１４３によって挟まれた位置に、ブレーカ１５１が設置される。よって、ブレーカ１５１がＯＮであるとき、１次側導電バー１２１〜１２３はそれぞれ、ブレーカ１５１を介して、２次側導電バー１４１〜１４３のそれぞれと通電する。
【００２４】
又、バイパス用１次電路１６１〜１６３はそれぞれ、１次側導電バー１２１〜１２３のそれぞれと電気的に接続されるとともに、バイパス用の開閉器１６７の１次側に接続するために、１次側導電バー１２１〜１２３に交差して設置される。このとき、バイパス用１次電路１６１〜１６３を導電バーで構成するとき、１次側導電バー１２１〜１２３に対して空間的に設置される。即ち、バイパス用１次電路１６１〜１６３の設置位置が、１次側導電バー１２１〜１２３の設置面に対して、その上側又は下側（図２の紙面上側又は下側）とされる。
【００２５】
そして、バイパス用１次電路１６１は、１次側導電バー１２１とのみ電気的に接続される。又、バイパス用１次電路１６１と１次側導電バー１２２，１２３との交差位置では、バイパス用１次電路１６１と１次側導電バー１２２，１２３と間に絶縁物が設けられる。これにより、バイパス用１次電路１６１と１次側導電バー１２２，１２３との間で通電が防がれるとともに、バイパス用１次電路１６１を固定できる。尚、バイパス用１次電路１６２については、１次側通電バー１２２と電気的に接続するとともに、１次側通電バー１２１，１２３との交差位置で絶縁され、バイパス用１次電路１６３については、１次側通電バー１２３と電気的に接続するとともに、１次側通電バー１２１，１２２との交差位置で絶縁される。
【００２６】
このバイパス用１次電路１６１〜１６３と１次側導電バー１２１〜１２３と同様の関係となるようにして、バイパス用２次電路１６４〜１６６と２次側導電バー１４１〜１４３とが設置される。即ち、バイパス用２次電路１６４〜１６６を導電バーで構成するとき、バイパス用２次電路１６４〜１６６の設置位置が、２次側導電バー１４１〜１４３の設置面に対して、その上側又は下側とされる。そして、バイパス用２次電路１６４が２次側導電バー１４１とだけ通電し、バイパス用２次電路１６５が２次側導電バー１４２とだけ通電し、バイパス用２次電路１６６が２次側導電バー１４３とだけ通電するように、バイパス用２次電路１６４〜１６６と２次側導電バー１４１〜１４３との交差部分が絶縁物又は導体で物理的に接続される。
【００２７】
このように、バイパス用１次電路１６１〜１６３及びバイパス用２次電路１６４〜１６６はそれぞれ、１次側導電バー１２１〜１２３及び２次側導電バー１４１〜１４３と交差させて、ブレーカ１５１に対して迂回させた形状となる。そして、バイパス用１次電路１６１〜１６３及びバイパス用２次電路１６４〜１６６はそれぞれ、ブレーカ１５１に対して迂回した位置で、１次側導電バー１２１〜１２３及び２次側導電バー１４１〜１４３と平行に設置される。
【００２８】
このブレーカ１５１に対する迂回位置では、バイパス用１次電路１６１〜１６３それぞれの設置方向に延長された位置に、バイパス用２次電路１６４〜１６６が設置される。そして、そして、バイパス用１次電路１６１〜１６３とバイパス用２次電路１６４〜１６６によって挟まれた位置に、開閉器１６７が設置される。よって、開閉器１６７がＯＮであるとき、バイパス用１次電路１６１〜１６３はそれぞれ、開閉器１６７を介して、バイパス用２次電路１６４〜１６６のそれぞれと通電する。即ち、ブレーカ１５１に対する迂回位置において、バイパス用１次電路１６１〜１６３、開閉器１６７、及びバイパス用２次電路１６４〜１６６の関係が、１次側導電バー１２１〜１２３、ブレーカ１５１、及び２次側導電バー１４１〜１４３と同様の関係となる。
【００２９】
このように構成されることで、図１に示す基本構成におけるバイパスユニット１６は、バイパス用１次電路１６１〜１６３、バイパス用２次電路１６４〜１６６、及び開閉器１６７によって構成される。よって、通常時においては、開閉器１６７がＯＦＦとされて、ブレーカ１５１による１次側と２次側の通電がなされる。又、ブレーカ１５１の交換時においては、まず、開閉器１６７をＯＮとした後に、既設のブレーカ１５１をＯＦＦとして取り外す。そして、ＯＦＦの状態の新設のブレーカ１５１を取り付けてＯＮとした後に、開閉器１６７をＯＦＦとする。
【００３０】
尚、開閉器１６７を新設のブレーカとしても構わない。このとき、例えば、交換時において、既設のブレーカ１５１を取り外す前に、交換対象となる新設のブレーカをＯＦＦの状態で開閉器１６７の位置に取り付ける。そして、この新設のブレーカをＯＮとした後に、既設のブレーカ１５１をＯＦＦとして取り外す。これにより、開閉器１６７の位置に取り付けられた新設のブレーカが、次に交換されるまで、配電装置１００におけるブレーカとして機能する。即ち、次にブレーカを交換する際には、開閉器１６７の位置に取り付けられたブレーカが外され、ブレーカ１５１の位置に新設のブレーカが取り付けられることとなる。
【００３１】
更に、ブレーカ１５１の構成について、図３及び図４を参照して説明する。図３に示すように、１次側導電バー１２１〜１２３が互いに平行に設置されるとともに、この１次側導電バー１２１〜１２３のそれぞれの端部に対向した位置にその端部が位置するように、２次側導電バー１４１〜１４３が設置される。これにより、２次側導電バー１４１〜１４３は、１次側導電バー１２１〜１２３の延設された方向の延長線上となる位置に設置されるため、互いに平行に設置される。そして、１次側導電バー１２１〜１２３の端部と２次側導電バー１４１〜１４３の端部の間に、ブレーカ１５１が設置される。
【００３２】
このブレーカ１５１は、図３及び図４に示すように、１次側導電バー１２１〜１２３それぞれの端部が挿入されるプラグイン端子５１１〜５１３を有する１次端子５０１と、２次側導電バー１４１〜１４３それぞれの端部が挿入されるプラグイン端子５２１〜５２３を有する２次端子５０２と、１次側と２次側の通電／遮断を操作するためのハンドル５０３と、を備える。又、１次側端子５０１が、プラグイン端子５１１〜５１３それぞれと電気的に接続される１次側固定接点となる接点用導体５１４〜５１６（図４で破線で示す）を備え、２次側端子５０２が、プラグイン端子５２１〜５２３それぞれと電気的に接続される２次側固定接点となる接点用導体５２４〜５２６（図４で破線で示す）を備える。
【００３３】
そして、ブレーカ１５１本体において、ハンドル５０３を中心として対称となる端部位置に、１次側端子５０１と２次側端子５０２とが設置される。よって、１次側導電バー１２１〜１２３それぞれが挿入されるプラグイン端子５１１〜５１３が、ブレーカ１５１本体の一方の端部に設けられるとき、この端部と反対側の端部に、２次側導電バー１４１〜１４３それぞれが挿入されるプラグイン端子５２１〜５２３が設けられる。そして、ハンドル５０３により不図示の可動切片が連動して、接点用導体５１４〜５１６のそれぞれと接点用導体５２４〜５２６のそれぞれとの電気的な接離が決定される。又、ブレーカ１５１本体は、１次側と２次側とを通電している際の電流量を測定し、その電流量が所定値以上となったときに、上記の可動切片による接続を切断させる不図示の制御部を備える。
【００３４】
このようなブレーカ１５１におけるプラグイン端子５１１〜５１３、５２１〜５２３の構造について、プラグイン端子５１１を代表して簡単に説明する。プラグイン端子５１１は、１次側導電バー１２１が設置される設置面側に対して開口した溝形状であり、１次側導電バー１２１の設置面に対して垂直な方向（以下、「高さ方向」）に掘削された溝形状となる。又、プラグイン端子５１１は、１次側導電バー１２１の延設される方向に垂直な面となるブレーカ１５１本体の端面においても開口し、２次側端子５０２側に延びた溝形状となる。更に、図３のように、１次側導電バー１２１が設置幅に対して高さ方向の長さが長くなる場合、プラグイン端子５１１を構成する溝についても、この１次側導電バー１２１と同様の形状とされるため、その深さがその幅に比べて深くなる。
【００３５】
そして、プラグイン端子５１１を構成する溝の幅は、その深さ方向（上記「高さ方向」と同じ方向）に対して、開口面から底に向かって狭くなる。即ち、開口面においては、プラグイン端子５１１の幅を１次側導電バー１２１の幅よりも広くすることで、１次側導電バー１２１が挿入しやすい形状とされる。又、開口面よりも深さ方向に進んだ位置に向かって、プラグイン端子５１１を構成する溝の幅を狭くするとき、その幅を１次側導電バー１２１の幅よりも狭くする。これにより、プラグイン端子５１１に挿入された１次側導電バー１２１を係止することができるだけでなく、プラグイン端子５１１を構成する溝と１次側導電バー１２１との接触面積を広くすることができる。尚、このプラグイン端子５１１において、深さ方向に対する、その幅が狭くなる領域については、開口面以外の領域の一部としてもよい。
【００３６】
又、プラグイン端子５１１は、金属など導電性材料が、構成する溝の表面に露出した構造とされるとともに、この露出した導電性材料が、接点用導体５１４と電気的に接続される。尚、プラグイン端子５１１を構成する溝が、接点用導体５１４に設けられる構成として、接点用導体５１４を構成する材料が、プラグイン端子５１１を構成する溝の表面に露出するものとしてもよい。このように構成することで、プラグイン端子５１１に１次側導電バー１２１が挿入されると、接点用導体５１４と１次側導電バー１２１とが電気的に接続される。
【００３７】
プラグイン端子５１２，５１３，５２１〜５２３のそれぞれについても、上記したプラグイン端子５１１と同様の構造とすることで、１次側導電バー１２２，１２３及び２次側導電バー１４１〜１４３のそれぞれが挿入されたとき、それぞれと電気的に接続される。このように構成されるとき、ブレーカ１５１本体を絶縁材料で構成することで、プラグイン端子５１１〜５１３が互いに絶縁されるとともに、プラグイン端子５２１〜５２３が互いに絶縁される。又、接点用導体５１４〜５１６、５２４〜５２６についても、互いに絶縁されるように、それぞれがブレーカ１５１本体で離れた位置に設置される。
【００３８】
このような構成のプラグイン端子５１１〜５１３，５２１〜５２３を備えた構成とすることで、ブレーカ１５１は、図４のように設置された１次側導電バー１２１〜１２３及び２次側導電バー１４１〜１４３それぞれを、プラグイン端子５１１〜５１３，５２１〜５２３のそれぞれに挿入させて係止できる。これにより、配電装置１００におけるブレーカ１５１の交換が、１次側導電バー１２１〜１２３及び２次側導電バー１４１〜１４３に対する着脱だけで可能となり、その交換作業が安全なものとなる。
【００３９】
尚、開閉器１６７についても、上述のように、バイパス用１次電路１６１〜１６３及びバイパス用２次電路１６４〜１６６を導電バーで構成する場合、ブレーカ１５１と同様、図３及び図４に示す構成のような構成としてもよい。即ち、開閉器１６７における、導電バーであるバイパス用１次電路１６１〜１６３及びバイパス用２次電路１６４〜１６６のそれぞれと接続する１次側端子及び２次側端子が、プラグイン構造となる端子接続部を備える。これにより、開閉器１６７についても、図３及び図４のような構成としたブレーカ１５１と同様、バイパス用１次電路１６１〜１６３及びバイパス用２次電路１６４〜１６６への着脱時に端子部を触れる必要がない。
【００４０】
＜第２の実施形態＞
本発明の第２の実施形態について、図面を参照して以下に説明する。図５は、本実施形態の配電装置の構成を示す概略図である。図６は、図５の構成における配電装置に用いるブレーカの構成を示す外観斜視図である。図７は、図６のブレーカにおける端子と電路との関係を示す図である。尚、図５〜図７の構成において、図２〜図４の構成と同一の目的で使用する部分については、同一の符号を付してその詳細な説明は省略する。又、図７は、図６のブレーカを設置面側（裏面側）から見た図であり、本体内部に構成される導体部については破線で図示する。
【００４１】
図５に示す本実施形態の配電装置１０１は、第１の実施形態の配電装置１００（図１参照）の構成から、バイパス用１次電路１６１〜１６３及びバイパス用２次電路１６４〜１６６が除かれた構成となるとともに、ブレーカ１５１及び開閉器１６７の代わりに、１次側導電バー１２１〜１２３と２次側導電バー１４１〜１４３との間で跨設されたブレーカ１５２及び開閉器１６８を備える。即ち、図１に示す基本構成におけるバイパスユニット１６は、開閉器１６８のみによって構成される。
【００４２】
又、１次側導電バー１２１〜１２３及び２次側導電バー１４１〜１４３のそれぞれが平行になるように設置されるが、第１の実施形態の配電装置１００と異なり、１次側導電バー１２１〜１２３のそれぞれの設置方向の延長方向とは異なる位置に、２次側導電バー１４１〜１４３が設置される。そして、ブレーカ１５２及び開閉器１６８のそれぞれは、１次側導電バー１２１〜１２３及び２次側導電バー１４１〜１４３に交差する方向に設置されることで、１次側導電バー１２１〜１２３及び２次側導電バー１４１〜１４３と平行な方向に沿って並設される。
【００４３】
即ち、１次側導電バー１２１〜１２３及び２次側導電バー１４１〜１４３は、それぞれが延設される方向に対して垂直な方向に順番に並設されるとともに、それぞれの延設方向に対して重なるように設置される。そして、それぞれの延設方向に対して１次側導電バー１２１〜１２３及び２次側導電バー１４１〜１４３が重なる位置に、ブレーカ１５２及び開閉器１６８が並設されている。これにより、第１の実施形態の配電装置１００（図１参照）におけるバイパス用１次電路１６１〜１６３及びバイパス用２次電路１６４〜１６６による迂回した電路を構成する必要がない。よって、バイパス用１次電路１６１〜１６３及びバイパス用２次電路１６４〜１６６を設けたときの立体構造が不要となり、配電装置１００と比較して、配電装置１０１の構成を単純化できる。
【００４４】
更に、ブレーカ１５２の構成について、図６及び図７を参照して説明する。図６に示すように、１次側導電バー１２１〜１２３が互いに平行に設置されるとともに、この１次側導電バー１２１〜１２３から離れた位置で、２次側導電バー１４１〜１４３が１次側導電バー１２１〜１２３と平行に設置される。そして、ブレーカ１５２は、１次側導電バー１２１〜１２３及び２次側導電バー１４１〜１４３の延設される方向に交差する方向に設置されて、１次側導電バー１２１〜１２３と２次側導電バー１４１〜１４３との間に跨設される。
【００４５】
このブレーカ１５２は、図６に示すように、第１の実施形態におけるブレーカ１５１（図３及び図４参照）と同様の位置関係となる、プラグイン構造とされた１次側端子５０１及び２次側端子５０２と、ハンドル５０３と、を備える。一方、１次側導電バー１２１〜１２３及び２次側導電バー１４１〜１４３の延設方向とブレーカ１５２の設置方向が交差するため、ブレーカ１５２における１次側端子５０１及び２次側端子５０２のプラグイン構造が、ブレーカ１５１と異なる。よって、以下では、ブレーカ１５２における１次側端子５０１及び２次側端子５０２の構造について、詳細に説明する。
【００４６】
ブレーカ１５２は、ブレーカ１５１と同様、１次側端子５０１が、互いに絶縁された接点用導体５１４〜５１６を有するとともに、２次側端子５０２が、互いに絶縁された接点用導体５２４〜５２６を有する。又、１次側端子５０１は、接点用導体５１４〜５１６のぞれぞれと電気的に接続されたプラグイン端子５３１〜５３３を備える。そして、プラグイン端子５３１は、接点用導体５１５，５１６と絶縁され、プラグイン端子５３２は、接点用導体５１４，５１６と絶縁され、プラグイン端子５３３は、接点用導体５１４，５１５と絶縁される。同様に、２次側端子５０２は、接点用導体５２４〜５２６のぞれぞれと電気的に接続されたプラグイン端子５４１〜５４３を備える。そして、プラグイン端子５４１は、接点用導体５２５，５２６と絶縁され、プラグイン端子５４２は、接点用導体５２４，５２６と絶縁され、プラグイン端子５４３は、接点用導体５２４，５２５と絶縁される。
【００４７】
そして、プラグイン端子５３１〜５３３，５４１〜５４３はそれぞれ、プラグイン端子５１１〜５１３，５２１〜５２３（図３参照）と同様、１次側導電バー１２１〜１２３及び２次側導電バー１４１〜１４３のそれぞれ設置面から高さ方向に掘削された溝形状とされる。又、１次側導電バー１２１〜１２３及び２次側導電バー１４１〜１４３のそれぞれが挿入されたときに係止するために、プラグイン端子５１１〜５１３，５２１〜５２３と同様、その高さ方向に対する幅についても、開口面から底に向かって狭くなるように構成される。
【００４８】
このプラグイン端子５３１〜５３３，５４１〜５４３は、１次側導電バー１２１〜１２３及び２次側導電バー１４１〜１４３が延設される方向に対して垂直な面となるブレーカ１５２本体の２端面を横切るように形成される。そのため、プラグイン端子５３１〜５３３，５４１〜５４３が横切るブレーカ１５２本体の２端面は、プラグイン端子５３１〜５３３，５４１〜５４３が構成する溝による開口部を備える。又、プラグイン端子５３１〜５３３が延設される方向に、接点用導体５１４〜５１６が並んで設置されるとともに、プラグイン端子５４１〜５４３が延設される方向に、接点用導体５２４〜５２６が並んで設置される。
【００４９】
よって、プラグイン端子５３１〜５３３がいずれも、接点用導体５１４〜５１６のうちの複数を跨ぐように設置されることとなり、同様に、プラグイン端子５４１〜５４３がいずれも、接点用導体５２４〜５２６のうちの複数を跨ぐように設置されることとなる。このとき、上述のように、プラグイン端子５３１〜５３３はそれぞれ、接点用導体５１４〜５１６のいずれかのみと電気的に接続され、プラグイン端子５４１〜５４３はそれぞれ、接点用導体５２４〜５２６のいずれかのみと電気的に接続される。尚、プラグイン端子５３１〜５３３のそれぞれと接点用導体５１４〜５１６のそれぞれとが電気的に接続される領域、及び、プラグイン端子５４１〜５４３のそれぞれと接点用導体５２４〜５２６のそれぞれとが電気的に接続される領域は、図７の斜線で示す領域となる。
【００５０】
即ち、プラグイン端子５３１を構成する溝の表面は、接点用導体５１４の設置される領域のみを導電性材料で露出させて、その他の領域については絶縁材料で覆うことで、プラグイン端子５３１は接点用導体５１４とのみに電気的に接続される構造とする。同様に、プラグイン端子５３２を構成する溝の表面は、接点用導体５１５の設置される領域のみを導電性材料で露出させ、又、プラグイン端子５３３を構成する溝の表面は、接点用導体５１６の設置される領域のみを導電性材料で露出させる。又、プラグイン端子５４１〜５４３についても同様にして、それぞれが構成する溝の表面において、それぞれが電気的に接続される接点用導体５２４〜５２６それぞれの設置位置のみを導電性材料で露出させる。そして、プラグイン端子５３２，５３３，５４１〜５４３は、この導電性材料で露出させた領域以外の領域については絶縁材料で覆う。
【００５１】
このような構成のプラグイン端子５３１〜５３３，５４１〜５４３をブレーカ１５２が備えることによって、プラグイン端子５３１〜５３３，５４１〜５４３がそれぞれ、接点用導体５１４〜５１６，５２４〜５２６それぞれと電気的に接続される。よって、プラグイン端子５３１を代表して説明すると、１次側導電バー１２１がプラグイン端子５３１に挿入されると、このプラグイン端子５３１に接続された接点用導体５１４に対して、１次側導電バー１２１を電気的に接続できる。又、接点用導体５１５，５１６とプラグイン端子５３１との間は絶縁されているため、１次側導電バー１２１と接点用導体５１５，５１６との間を絶縁できる。このように構成することで、本実施形態のブレーカ１５２についても、第１の実施形態のブレーカ１５１と同様、その交換を安全に行える。
【００５２】
尚、本実施形態においても、第１の実施形態と同様、開閉器１６８を、ブレーカ１５２と同様、図６及び図７に示す構成のような構成としてもよい。又、第１の実施形態において開閉器１６７を新設のブレーカとして交換する場合と同様、開閉器１６８を常に設置するものとせずに、交換時において、既設となるブレーカ１５２の代わりに、開閉器１６８の設置位置に新設のブレーカを設置するものとしてもよい。
【００５３】
＜第３の実施形態＞
本発明の第３の実施形態について、図面を参照して以下に説明する。図８は、本実施形態の配電装置に用いるブレーカの内部構成を示すブロック図である。尚、本実施形態の配電装置は、ブレーカの内部構成に特徴があるものであり、配電装置の全体構成は、第１又は第２の実施形態のいずれの構成であってもよい。
【００５４】
本実施形態の配電装置におけるブレーカ１５３は、図８に示すように、１次電路１２及び２次電路１４のそれぞれに接続される１次側端子５０１及び２次側端子５０２と、１次側端子５０１及び２次側端子５０２のそれぞれと接続された１次側固定接点３０１及び２次側固定接点３０２と、ハンドル５０３によって連動する可動切片３０３と、過電流となるときに可動切片３０３による通電を遮断させる制御部３０４と、を備える。尚、１次側固定接点３０１が、第１及び第２の実施形態におけるブレーカ１５１，１５２（図４及び図６参照）の接点溶導体５１４〜５１６によって構成され、２次側固定接点３０２が、ブレーカ１５１，１５２の接点溶導体５２４〜５２６によって構成される。
【００５５】
このブレーカ１５３は、１次側端子５０１及び２次側端子５０２のそれぞれに１次電路１２及び２次電路１４のそれぞれが接続される。そして、ハンドル５０３により可動切片３０３が１次側固定接点３０１と２次側固定接点３０２と接続されると、外部電源１からの電源が負荷２に供給される。このとき、制御部３０４は、１次側固定接点３０１と２次側固定接点３０２とが接続されることで流れる電流値を検出し、過電流を検出したとき、可動切片３０３に制御信号を与えて、１次側固定接点３０１と２次側固定接点３０２との間の通電を遮断する。
【００５６】
更に、ブレーカ１５３は、可動切片３０３による開閉回数や製造時からの経過時間などを測定する測定部３０５と、自機器の交換時期となる基準値を記憶するメモリ３０６と、測定部３０５による測定値とメモリ３０６に記憶した基準値と比較して交換の要否を判断する検知部３０７と、検知部３０７による判断結果などを制御部３０４を介して受けて外部に報知する報知部３０８と、を備える。このとき、測定部３０５は、可動切片３０３による開閉回数を測定する場合、ハンドル５０３又は可動切片３０３の物理的な遷移を位置センサなどにより検出するものとしてもよい。又、測定部３０５が、ブレーカ１５３内に設けられたコンデンサの容量を測定することで、検知部３０７がブレーカ１５３の交換時期を判断してもよい。
【００５７】
このように構成されるブレーカ１５３は、第１及び第２の実施形態におけるブレーカ１５１，１５２のように配電装置１００，１０１に設置されると、ハンドル５０３が操作されて、可動切片３０３によりＯＮとされると、測定部３０５による測定が開始される。このように測定部３０５による測定が開始されると同時に、検知部３０７が、定期的に測定部３０５による測定値を取得し、メモリ３０６に記憶した基準値との比較を行う。
【００５８】
そして、測定部３０５による測定値がメモリ３０６内の基準値を超えたとき、検知部３０７は、ブレーカ１５３を交換する必要があると判断して、制御部３０４に信号を出力する。即ち、可動切片３０３による開閉回数を測定している場合は、その開閉回数が基準回数より多くなったときに、又、製造時からの経過時間を測定している場合は、その経過時間が基準時間より長くなったときに、更に、コンデンサ容量を測定している場合は、基準値との差が大きくなったときに、それぞれ、ブレーカ１５３を交換する必要があると判断する。
【００５９】
このように、検知部３０７が、制御部３０４に対して、ブレーカ１５３の交換を求める信号を出力すると、制御部３０７は、報知部３０８に対して制御信号を与える。これにより、報知部３０８が、音声や画像や点灯などによって、ブレーカ１５３の交換を外部に報知するための出力を行う。即ち、図９（ａ）に示すような液晶ディスプレイ３０８ａで報知部３０８を構成したときは、ブレーカ１５３の交換を画像表示によって報知できる。このとき、ブレーカ１５３の交換時期までの時間を液晶ディスプレイ３０８ａ上に表示されるものとしてもよい。又、このブレーカ１５３の交換だけでなく、ブレーカ１５３の状態などが液晶ディスプレイ３０８ａに表示されるものとしてもよい。
【００６０】
又、図９（ｂ）に示すような発光ダイオード３０８ｂで報知部３０８を構成したときは、ブレーカ１５３の交換を、その点灯表示又は点滅表示によって報知できる。このとき、発光ダイオード３０８ｂの点灯の有無により、ブレーカ１５３のＯＮ／ＯＦＦが報知できるものとし、発光ダイオード３０８ｂの表示態様が点滅に変化したときに、ブレーカ１５３の交換を報知するものとしてもよい。更に、図９（ｃ）に示すようなスピーカ３０８ｃで報知部３０８を構成したときは、ブレーカ１５３の交換を、その音声の出力によって報知できる。
【００６１】
＜第４の実施形態＞
本発明の第４の実施形態について、図面を参照して以下に説明する。図１０は、本実施形態の配電装置に用いるブレーカと開閉器の内部構成を示すブロック図である。尚、本実施形態の配電装置は、ブレーカ及び開閉器の構成に特徴があるものであり、配電装置の全体構成は、第１又は第２の実施形態のいずれの構成であってもよい。又、図１０の構成において、図８の構成と同一の目的で使用する部分については、同一の符号を付してその詳細な説明は省略する。
【００６２】
本実施形態の配電装置におけるブレーカ１５４は、図１０に示すように、図８に示すブレーカ１５３の構成に更に、開閉器１６９と通信を行うための通信部４０１が追加された構成となる。又、開閉器１６９は、１次電路１２及び２次電路１４のそれぞれに接続される１次側端子９０１及び２次側端子９０２と、１次側端子９０１及び２次側端子９０２のそれぞれと接続された１次側固定接点９０３及び２次側固定接点９０４と、１次側固定接点９０３と２次側固定接点９０４との電気的な接離を成す可動切片９０５と、可動切片９０５によるＯＮ／ＯＦＦを制御する制御部９０６と、ブレーカ１５４の通信部４０１と通信する通信部９０７と、を備える。
【００６３】
このように構成することで、ブレーカ１５４は、その通信部４０１が開閉器１６９の通信部９０７と接続されることで、開閉器１６９との間で通信を行うことができる。これにより、本実施形態の配電装置は、交換時期となった既設のブレーカ１５４が、開閉器１６９に対してＯＮとする指示を与えた後に、自機器をＯＦＦとすることができる。一方、ブレーカ１５４の交換後について、交換後の新設されたブレーカ１５４が、自機器をＯＮとした後に、開閉器１６９に対してＯＦＦとする指示を与えることができる。
【００６４】
即ち、第３の実施形態と同様、ブレーカ１５４は、可動切片３０３により１次側固定接点３０１と２次側固定接点３０２とが通電されているとき、測定部３０５による測定値とメモリ３０６内の基準値とが、検知部３０４により定期的に比較される。そして、測定部３０５による測定値がメモリ３０６内の基準値を超えたとき、検知部３０７が、交換が必要であると判断し、制御部３０４に通知する。制御部３０４は、検知部３０７からの通知を受けると、報知部３０８に制御信号を与えて報知部３０８を駆動して、ブレーカ１５４の交換を外部に報知する。このとき、通信部４０１を通じて開閉器１６９に、制御部３０４からの制御信号が送信される。
【００６５】
この制御信号を通信部９０７で受信した開閉器１６９では、制御部９０６が、ブレーカ１５４の交換時期であることを認識するため、可動切片９０５に制御信号を与えて、１次側固定接点９０３と２次側固定接点９０４とを接続する。これにより、開閉器１６９がＯＮとなり、開閉器１６９による１次電路１２と２次電路１４との通電が開始する。制御部９０６は、開閉器１６９がＯＮとなったことをブレーカ１５４に通知するために、その通知信号を通信部９０７よりブレーカ１５４に送信する。
【００６６】
ブレーカ１５４は、開閉器１６９からの通知信号を通信部４０１で受信すると、開閉器１６９がＯＮとなったことを制御部３０４で認識する。よって、制御部３０７は、可動切片３０３に制御信号を与えて、１次側固定接点３０１と２次側固定接点３０２との間の通電を遮断し、ブレーカ１５４をＯＦＦとする。このとき、ブレーカ１５４がＯＦＦであることを、報知部３０８によって報知されるものとしてもよい。
【００６７】
そして、既設のブレーカ１５４が配電装置から取り外された後、新しいブレーカ１５４が取り付けられると、この新設のブレーカ１５４のハンドル５０３が操作されてＯＮとされる。これにより、１次側固定接点３０１と２次側固定接点３０２とが、可動切片３０３を介して通電する。これにより、制御部３０４は、１次側固定接点３０１と２次側固定接点３０２との間における通電を確認し、新設のブレーカ１５４がＯＮとなったことを検知する。そして、制御部３０４は、新設のブレーカ１５４がＯＮとなったことを示す通知信号を生成して、通信部４０１より開閉器１６９に送信する。このとき、ブレーカ１５４がＯＮであることを、報知部３０８によって報知されるものとしてもよい。
【００６８】
開閉器１６９は、ブレーカ１５４からの通知信号を通信部９０７で受信すると、新設のブレーカ１５４に交換されるとともにこのブレーカ１５４がＯＮとなったことを制御部９０６で認識する。よって、制御部９０６は、可動切片９０５に制御信号を与えて、１次側固定接点９０３と２次側固定接点９０４との間の通電を遮断し、開閉器１６９をＯＦＦとする。このとき、開閉器１６９は、制御部９０６が、開閉器１６９がＯＦＦになったことを示す通知信号を生成して、通信部９０７よりブレーカ１５４に送信することで、ブレーカ１５４に交換が正常に行われたことを通知するものとしてもよい。
【００６９】
尚、第３及び第４の実施形態において、第１及び第２の実施形態と同様、バイパスユニット１６の一部とされる開閉器を、ブレーカ１５３，５１４によって構成するものとしてもよい。そして、第４の実施形態においては、バイパスユニット１６の一部とされる開閉器をブレーカ１５４で構成する場合、この開閉器とされるブレーカ１５４は、第４の実施形態で説明した開閉器１６９による動作を行う。
【００７０】
又、第４の実施形態において、ブレーカ１５４の交換時において、ブレーカ１５４と開閉器１６９との間で電気的に通信を行うことで、交換時のブレーカ１５４のＯＦＦと開閉器１６９のＯＮ／ＯＦＦとが自動で行われるものとしたが、機械的に行われるものとしてもよい。即ち、交換対称となる既設のブレーカについて、作業者によるハンドルが操作されてＯＮ／ＯＦＦされるとき、このブレーカのＯＮ／ＯＦＦに対するハンドル操作に連動して、開閉器がＯＦＦ／ＯＮとなる。このとき、ブレーカをＯＦＦとする場合は、ＯＦＦとするハンドル操作がなされると同時に開閉器がＯＮとなり、その後、ブレーカが電気的にＯＦＦとなることが望ましい。同様に、ブレーカをＯＮとする場合は、ＯＮとするハンドル操作がなされると同時にブレーカがＯＮとなり、その後、開閉器が電気的にＯＦＦとなることが望ましい。
【００７１】
尚、上述した各実施形態の配電装置は、主幹ブレーカと分岐ブレーカとを備えた分電盤に適用できる。この分電盤に適用した例について、図１に示す基本構成に基づいて説明する。図１１に示すように、外部電源２から電源供給される分電盤１０３において、１次側電路１２及び２次側電路１４との間に接続された主幹ブレーカ１５ａと、２次側電路１４に接続されて分岐された分岐用１次電路１２ａと、２次側電線３１と接続される分岐用２次電路１４ａと、分岐用１次電路１２ａと分岐用２次電路１４ａとの間に接続された分岐ブレーカ１５ｂとが設置される。又、１次側端子台１１において、１次側電線２１と１次側電路１２とが接続されて、外部電源２からの電源が主幹ブレーカ１５ａの１次側に供給される。そして、２次側端子台１３において、分岐用２次電路１４ａと２次側電線３１とが接続されて、分岐ブレーカ１５ｂにより負荷３への電源供給が成される。
【００７２】
そして、図１１の構成例に示すように、主幹ブレーカ１５ａに対して並列となるようにバイパスユニット１６ａが設置されるとともに、分岐ブレーカ１５ｂに対して並列となるように、バイパスユニット１６ｂが設置される。これにより、バイパスユニット１６ｂと並列に接続された分岐ブレーカ１５ｂの２次側に接続された負荷３へ電源を常時供給する必要がある場合であっても、主幹ブレーカ１５ａと分岐ブレーカ１５ｂそれぞれの交換を行うことができる。尚、電源を常時供給する必要がない負荷３が２次側に接続された分岐ブレーカ１５ｂに対しては、バイパスユニット１６ｂを設置しなくてもよい。
【００７３】
この図１１の構成となる分電盤１０３は、バイパスユニット１６ａ，１６ｂとして、第１〜第４の実施形態の配電装置における開閉器１６７〜１６９のいずれかを用いた構成とすることで、各実施形態で説明したそれぞれの効果が得られる。このとき、バイパスユニット１６ａ，１６ｂが並列に接続される主幹ブレーカ１５ａ及び分岐ブレーカ１５ｂは、第１〜第４の実施形態の配電装置におけるブレーカ１５１〜１５４のいずれかの構成を備える。
【産業上の利用可能性】
【００７４】
本発明は、ブレーカを備えた分電盤などによる配電装置に適用することができる。又、交換対象とするブレーカが主幹ブレーカとなる配電装置であってもよいし、交換対象とするブレーカが分岐ブレーカとなる配電装置であってもよい。更に、配電装置として、単相三線式の外部電源から電源供給される配電装置だけでなく、単相二線式や三相式の外部電源から電源供給される配電装置や、直流電源を供給する配電装置であっても適用可能である。
【図面の簡単な説明】
【００７５】
【図１】は、本発明の配電装置の基本構成を示す概略図である。
【図２】は、第１の実施形態の配電装置の構成を示す概略図である。
【図３】は、図２の構成における配電装置に用いるブレーカの構成を示す外観斜視図である。
【図４】は、図３のブレーカにおける端子と電路との関係を示す図である。
【図５】は、第２の実施形態の配電装置の構成を示す概略図である。
【図６】は、図５の構成における配電装置に用いるブレーカの構成を示す外観斜視図である。
【図７】は、図６のブレーカにおける端子と電路との関係を示す図である。
【図８】は、第３の実施形態の配電装置に用いるブレーカの内部構成を示すブロック図である。
【図９】は、図８のブレーカの構成を示す概略外観図であり、（ａ）が、ディスプレイを設けた構成例、（ｂ）が、発光ダイオードを設けた構成例、（ｃ）が、スピーカを設けた構成例である。
【図１０】は、第４の実施形態の配電装置に用いるブレーカと開閉器の内部構成を示すブロック図である。
【図１１】は、本発明の配電装置による構成を分電盤に適用した構成を示す図である。
【符号の説明】
【００７６】
１                  配電装置
２                  外部電源
３                  負荷
１１                １次側端子台
１２                １次電路
１３                ２次側端子台
１４                ２次電路
１５                ブレーカ
１６                バイパスユニット
２１                １次側電線
３１                ２次側電線
１００，１０１      配電装置
１０３              分電盤
１２１〜１２３      １次側導電バー
１４１〜１４３      ２次側導電バー
１５１〜１５４      ブレーカ
１６１〜１６３      バイパス用１次電路
１６４〜１６６      バイパス用２次電路
１６７〜１６９      開閉器
３０１，９０３      １次側固定接点
３０２，９０４      ２次側固定接点
３０３，９０５      可動切片
３０４，９０６      制御部
３０５              測定部
３０６              メモリ
３０７              検知部
３０８              報知部
４０１，９０７      通信部
５０１，９０１      １次側端子
５０２，９０２      ２次側端子
５０３              ハンドル
５１１〜５１３      プラグイン端子
５１４〜５１６      接点用導体（１次側固定接点）
５２１〜５２３      プラグイン端子
５２４〜５２６      接点用導体（２次側固定接点）
５３１〜５３３      プラグイン端子
５４１〜５４３      プラグイン端子
【図１】
2010011548.tif 000003
【図２】
2010011548.tif 000004
【図３】
2010011548.tif 000005
【図４】
2010011548.tif 000006
【図５】
2010011548.tif 000007
【図６】
2010011548.tif 000008
【図７】
2010011548.tif 000009
【図８】
2010011548.tif 000010
【図９】
2010011548.tif 000011
【図１０】
2010011548.tif 000012
【図１１】
2010011548.tif 000013